(57)【要約】      （修正有）【課題】先端の一方を延出させた分割カール部で髪をガイドするとともに、可動側加熱部が分割カール部の内側端面まで移動することで、髪を可動側加熱部と固定側加熱部の間に円滑に挿入することができるヘアーアイロンを提供する。【解決手段】先端が分割された一対の分割カール部２１a、２１ｂを有するヘアーアイロン本体２と、固定側加熱部３と、固定側加熱部３とで髪を挟持して加熱する可動側加熱部４と、可動側加熱部４を操作する操作部５と、を備えるヘアーアイロン１であって、一対の分割カール部２１a、２１ｂの他方は、一対の分割カール部２１a、２１ｂの一方よりも先端が延出しており、可動側加熱部４は、操作部５の操作により、一対の分割カール部２１a、２１ｂの他方における内側端面まで移動可能に形成されていることを特徴とするヘアーアイロン１。【選択図】図１
2018166895.tif 000002
【特許請求の範囲】
【請求項１】
先端から髪が挿入可能に上下に分割された一対の分割カール部を有し、前記分割カール部の外周に巻き付けてカールさせるヘアーアイロン本体と、
前記一対の分割カール部の一方における内側に固定され、前記髪を加熱する固定側加熱部と、
前記一対の分割カール部の他方における内側で上下動可能に形成され、前記固定側加熱部とで前記髪を挟持して加熱する可動側加熱部と、
前記可動側加熱部の上下動を操作する操作部と、を備えるヘアーアイロンであって、
前記一対の分割カール部の他方は、前記一対の分割カール部の一方よりも先端が延出しており、
前記可動側加熱部は、前記操作部の操作により、前記一対の分割カール部の他方における内側端面まで移動可能に形成されていることを特徴とするヘアーアイロン。
【請求項２】
前記可動側加熱部又は前記固定側加熱部には、さらに、
前記一対の分割カール部内に挿入された前記髪を加熱するための熱を発熱する発熱部が形成されており、
前記可動側加熱部は、前記操作部を操作しない状態において、前記固定側加熱部に当接することを特徴とする請求項１に記載のヘアーアイロン。
【請求項３】
前記ヘアーアイロンは、さらに、
前記可動側加熱部を挟むように位置し、前記一対の分割カール部内における基端側から先端側へ向けてマイナスイオンを発生する一対のマイナスイオン発生部が形成されていることを特徴とする請求項２に記載のヘアーアイロン。
【発明の詳細な説明】
【技術分野】
【０００１】
本発明は、髪をカールさせるヘアーアイロンに関する。
【背景技術】
【０００２】
湾曲したカール部に髪を巻き付けてカールさせるヘアーアイロンがある。ヘアーアイロンは、カール部を加熱することで、カール部に巻き付けられた髪における毛皮質間の水素結合を切断し、この切断した髪をカール部の曲率に合わせて曲げて、髪をカールさせるものである。近年、このヘアーアイロンに関して鋭意研究されている。
【０００３】
例えば、特許文献１（従来例）には、図１０で示すように、本体固定フレーム１１０の内側に第１のクランプ１２０（片端にボタン１６０と支持ロッド１２１が設けられたもの）と第２のクランプ１３０（支持ロッド１２１で動く開閉梃子１４０が作用するもの）とが開閉可能に取付けられ、ボタン１６０を押すだけで、開閉梃子１４０を介して第１のクランプ１２０と第２のクランプ１３０が開き、ヘアを挟持することができる美髪器１００が開示されている。
【先行技術文献】
【特許文献】
【０００４】
【特許文献１】実用新案登録第３２０７１６０号
【発明の概要】
【発明が解決しようとする課題】
【０００５】
しかし、特許文献１の美髪器１００は、図１０で示すように、第１のクランプ１２０および第２のクランプ１３０が形成された本体固定フレーム１１０の先端側が同じ長さで形成されているため、本体固定フレーム１１０の一端側でヘアをガイドする際に、本体固定フレーム１１０の他端側が障害となり、本体固定フレーム１１０の一端側にヘアを誘導し難い問題があった。また、特許文献１の美髪器１００は、基端側を基点にして第１のクランプ１２０と第２のクランプ１３０が開くため、第１のクランプ１２０と第２のクランプ１３０との基端側が本体固定フレーム１１０内に完全に格納されず、本体固定フレーム１１０の内側奥までヘアを挿入し難い問題もあった。
【０００６】
本発明は、上述した事情に鑑みてなされるものであって、先端が延出した分割カール部で髪をガイドするとともに、可動側加熱部が分割カール部の内側端面まで移動することで、髪を可動側加熱部と固定側加熱部の間へ円滑に挿入することができるヘアーアイロンを提供することを目的とする。
【課題を解決するための手段】
【０００７】
上記課題を解決するためになされた請求項１に記載の発明は、先端から髪が挿入可能に上下に分割された一対の分割カール部を有し、前記分割カール部の外周に巻き付けてカールさせるヘアーアイロン本体と、前記一対の分割カール部の一方における内側に固定され、前記髪を加熱する固定側加熱部と、前記一対の分割カール部の他方における内側で上下動可能に形成され、前記固定側加熱部とで前記髪を挟持して加熱する可動側加熱部と、前記可動側加熱部の上下動を操作する操作部と、を備えるヘアーアイロンであって、前記一対の分割カール部の他方は、前記一対の分割カール部の一方よりも先端が延出しており、前記可動側加熱部は、前記操作部の操作により、前記一対の分割カール部の他方における内側端面まで移動可能に形成されていることを特徴とする。
【０００８】
請求項１に記載の発明によれば、先端が延出した分割カール部で髪をガイドするとともに、可動側加熱部が分割カール部の内側端面まで移動することで、髪を円滑に一対の分割カール部の間へ挿入することができる。
【０００９】
請求項２に記載の発明は、請求項１に記載されたヘアーアイロンであって、前記可動側加熱部又は前記固定側加熱部には、さらに、前記一対の分割カール部内に挿入された前記髪を加熱するための熱を発熱する発熱部が形成されており、前記可動側加熱部は、前記操作部を操作しない状態において、前記固定側加熱部に当接することを特徴とする。
【００１０】
請求項２に記載の発明によれば、操作部を操作しない状態（デフォルト状態）において、可動側加熱部が固定側加熱部に当接することで、発熱部で可動側加熱部又は固定側加熱部のみを加熱すれば、可動側加熱部および固定側加熱部の両方を加熱することができるため、一対の分割カール部の一方にのみ発熱部を設ければ足り、ヘアーアイロン全体の構成を簡略化することができる。
【００１１】
請求項３に記載の発明は、請求項２に記載されたヘアーアイロンであって、前記ヘアーアイロンは、さらに、前記可動側加熱部を挟むように位置し、前記一対の分割カール部内における基端側から先端側へ向けてマイナスイオンを発生する一対のマイナスイオン発生部が形成されていることを特徴とする。
【００１２】
請求項３に記載の発明によれば、可動側加熱部の両側部において、マイナスイオンを発生させることで、髪を加熱する前後でマイナスイオンを付与して、キューティクルの傷みを抑え髪にツヤと潤いを与えることができる。
【発明の効果】
【００１３】
本発明は、上述した事情に鑑みてなされるものであって、先端が延出した分割カール部で髪をガイドするとともに、可動側加熱部が分割カール部の内側端面まで移動することで、固定側加熱部と可動側加熱部の間に髪を円滑に挿入することができるヘアーアイロンを提供することである。
【図面の簡単な説明】
【００１４】
【図１】第１実施例のヘアーアイロンの斜視図である。
【図２】図１のヘアーアイロンの側面図である。
【図３】図１のヘアーアイロンの正面図である。
【図４】図１のヘアーアイロンの展開図である。
【図５】図１のＡ−Ａ線で切断した断面図である。
【図６】図１のＢ−Ｂ線で切断した断面図である。
【図７】離間位置におけるヘアーアイロンの斜視図である。
【図８】図７のＣ−Ｃ線で切断した断面図である。
【図９】第１実施例のヘアーアイロンのカール付け作業を示すフローチャートである。
【図１０】従来例を示す美髪器の断面概略構成図である。
【発明を実施するための形態】
【００１５】
（第１実施例）
以下、図面を参照して、本発明の第１実施例に係るヘアーアイロン１について説明する。
【００１６】
図１は第１実施例のヘアーアイロン１の斜視図であり、図２は図１のヘアーアイロン１の側面図であり、図３は図１のヘアーアイロン１の正面図であり、図４は図１のヘアーアイロン１の展開図であり、図５は図１のＡ−Ａ線で切断した断面図であり、図６は図１のＢ−Ｂ線で切断した断面図であり、図７は離間位置におけるヘアーアイロン１の斜視図であり、図８は図７のＣ−Ｃ線で切断した断面図である。図５および８においては、ヘアーアイロン１の構成を簡略化するため、電源コード８１を省略して図示した。
なお、ヘアーアイロン１の幅方向をＸ軸、ヘアーアイロン１の厚み方向をＹ軸、ヘアーアイロン１の長手方向をＺ軸とする。
【００１７】
図１乃至３で示すように、引用符号１は、本実施例のヘアーアイロン１である。ヘアーアイロン１は、先端から髪を内部へ挿入可能に形成され、略チューリップ形状をしたヘアーアイロン本体２と、ヘアーアイロン本体２内に固定され、内部へ挿入された髪を加熱する固定側加熱部３と、ヘアーアイロン本体２内において上下動可能に形成され、固定側加熱部３とで髪を挟持して加熱する可動側加熱部４と、可動側加熱部４の上下動を操作する操作部５と、を備える。
【００１８】
また、図１乃至６で示すように、ヘアーアイロン１は、可動側加熱部４の動作状態を表示する表示部６と、施術者から可動側加熱部４の加熱温度等の操作入力を受付ける操作入力部７と、可動側加熱部４、表示部６および後述のマイナスイオン発生部２１ｃなどへ電気を供給する電源供給部８と、操作入力部７の操作入力に基づいて、電源供給部８からの電気を供給し、表示部６、可動側加熱部４および後述のマイナスイオン発生部２１ｃの各種動作を制御する制御部９と、を備える。
【００１９】
図１および２で示すように、ヘアーアイロン本体２は、外周に髪を巻き付けてカールさせるカール部２１が先端側に形成されており、施術者が把持する把持部２２がカール部２１の基端側で一体的に形成されている。
【００２０】
カール部２１は、図１乃至４で示すように、先端から髪が挿入可能に上下に分割された上側分割カール部２１a（分割カール部）および下側分割カール部２１b（分割カール部）と、上側分割カール部２１aと下側分割カール部２１bとの間において、基端側から先端側へ向けてマイナスイオンを発生する一対のマイナスイオン発生部２１ｃと、を有する。
【００２１】
上側分割カール部２１aおよび下側分割カール部２１bは、例えば耐熱樹脂材料で形成されており、図３および５で示すように、先端側へ向けて先細となり、断面が半円形状から半楕円形状へ変化したものである。
【００２２】
マイナスイオン発生部２１ｃは、例えば放電によってマイナスイオンを発生させるものであり、グランド電極（不図示）および針電極２１dと、それらの電極２１ｄと電気的に接続された高電圧発生回路（不図示）を有する。マイナスイオン発生部２１ｃは、グランド電極を基準とする高電圧を針電極２１dへ印加してコロナ放電を行い、多量のマイナスイオンを発生させる。マイナスイオン発生部２１ｃは、図１および３で示すように、上側分割カール部２１aと下側分割カール部２１bとの分割基部２１eにおいて、可動側加熱部４の両側に一対形成されている。
【００２３】
図１乃至４で示すように、把持部２２は、上下に分割された上側把持部２２aおよび下側把持部２２bを有する。上側把持部２２aおよび下側把持部２２bは、図１、２および４で示すように、例えば樹脂材料で形成されており、基端側を全体として略円環形状をしたものである。下側把持部２２ｂの先端側には、下側分割カール部２１ｂの外周面が一体的に形成されていても良い。
【００２４】
上側把持部２２aおよび下側把持部２２ｂの外周面には、図１および２で示すように、基端から先端側へ向けて捻じれるような凹凸面が形成されている。これにより、施術者がカール付けをする際に、把持部２２を滑らずに把持することができる。
【００２５】
図１、３および４で示すように、固定側加熱部３は、例えば金属などの熱伝導率の高い材料で形成されたプレート状の上側加熱プレート３１と、熱伝導率の低い材料で形成され、上側加熱プレート３１の先端側を覆うように保持した上側保持部３２とを有する。上側保持部３２は、上側分割カール部２１aの内側において一体的に固定されている。
【００２６】
図１、３および４で示すように、可動側加熱部４は、操作入力部７の操作入力に応じて発熱し、例えばヒーターなどの発熱部４１と、発熱部４１の上面に密着し、発熱部４１からの熱で加熱されるプレート状の下側加熱プレート４２と、下側加熱プレート４２とで発熱部４１を挟むように保持し、下側分割カール部２１bの内側において上下動可能に形成された下側保持部４３とを有する。下側加熱プレート４２は、例えば金属などの熱伝導率の高い材料で形成されている。下側保持部４３は、熱伝導率の低い材料で形成されており、下側加熱プレート４２の先端側を覆うように保持している。
【００２７】
図１、４乃至８で示すように、操作部５は、下側保持部４３と一体的に形成されており、下側保持部４３と同様に熱伝導率の低い材料で形成されている。操作部５は、下側保持部４３を上下動させて、可動側加熱部４が固定側加熱部３に当接する当接位置（図１、５および６）から、可動側加熱部４を下側分割カール部２１bの内側端面まで下動させて、固定側加熱部３から離間する離間位置（図７および８）まで移動させる。
【００２８】
操作部５の下部には、図４、５および７で示すように、例えばバネなどの弾性部材５１が位置しており、操作部５を上方へ付勢し、施術者が操作部５を操作しない状態（デフォルト状態）において、可動側加熱部４を当接位置（図１、図５および６）とする。
【００２９】
表示部６は、図１および４で示すように、例えば上側把持部２２aの上面に形成されており、例えばＬＥＤ、パネルＬＥＤなどである。表示部６は、制御部９からの制御信号に基づいて、点滅表示および常灯表示する。
【００３０】
図１および３で示すように、操作入力部７は、例えば上側把持部２２aの上面に形成されており、可動側加熱部４における設定温度の多段階（例えば、１４０℃、１８０℃）の入力や電源オフ入力が可能に形成されている。操作入力部７は、施術者からの操作入力に基づいて、設定温度情報や電源オフ情報などを制御部９へ送る。
【００３１】
電源供給部８は、例えばバッテリーなどであり、マイナスイオン発生部２１ｃ、発熱部４１、表示部６、操作入力部７および制御部９などへ通電する。電源供給部８は、電源コード８１などを介して電気を充電できるように形成されている。
【００３２】
図４および５で示すように、制御部９は、例えばＣＰＵ（Central Processing Unit）などを搭載した制御基板などであり、マイナスイオン発生部２１ｃ、発熱部４１、表示部６、操作入力部７および電源供給部８などと電気的に接続されている。制御部９は、操作入力部７からの設定温度情報および電源オフ情報などに基づいて、電源供給部８からマイナスイオン発生部２１ｃ、発熱部４１および表示部６へ通電し、マイナスイオン発生部２１ｃ、発熱部４１および表示部６の各種動作を制御する。
【００３３】
制御部９は、発熱部４１が設定温度に達する前においては、表示部６を点灯表示させ、発熱部４１が設定温度に達した後は表示部６を常灯表示させる。これにより、施術者は、発熱部４１が設定温度に達したことを簡単に把握することができる。
【００３４】
また、制御部９は、操作入力部７から設定温度情報を取得すると、設定温度情報を取得してからの時間（以下、計測時間という。）を計測する。制御部９は、計測時間が所定時間（例えば３０分間）を越えたと判定すると、マイナスイオン発生部２１ｃおよび発熱部４１の動作を停止させる。この構成により、施術者によるマイナスイオン発生部２１ｃおよび発熱部４１の消し忘れを確実に防止することができる。
【００３５】
本実施例のヘアーアイロン１は、髪に熱を与える上側加熱プレート３１と下側加熱プレート４２を上側保持部３２と下側保持部４３（上側分割カール部２１aと下側分割カール部２１bにおけるそれぞれの内側に保持されたもの）で保持することで、施術者が直接的に高温になる上側加熱プレート３１又は下側加熱プレート４２に触れて、火傷することを防止することができる。
【００３６】
特に、本実施例のヘアーアイロン１は、高温となる上側加熱プレート３１および下側加熱プレート４２の先端側がそれぞれ上側保持部３２および下側保持部４３で覆われていることで、上側分割カール部２１aと下側分割カール部２１bとの間に施術者が指を挿入した場合においても、施術者が火傷することを防止することができる。
【００３７】
本実施例のヘアーアイロン１は、上側分割カール部２１aおよび下側分割カール部２１bが、先端側へ向けて先細となり、断面が半円形状から半楕円形状に変化することで、上側分割カール部２１aおよび下側分割カール部２１bの外周面に巻き付けた髪を簡単に先端側から抜き出すことができる。
【００３８】
また、本実施例のヘアーアイロン１は、発熱部４１の設定温度を多段階に入力可能に形成することで、施術者の髪型に合わせて発熱部４１の発熱温度を設定でき、所望の髪型にすることができる。
【００３９】
さらに、本実施例のヘアーアイロン１は、施術者が操作部５を操作しない状態（デフォルト状態）において、可動側加熱部４が固定側加熱部３へ当接する当接位置（図１、５および６）となることで、発熱部４１で加熱された可動側加熱部４の熱を固定側加熱部３へ伝達することができる。
【００４０】
すなわち、本実施例のヘアーアイロン１は、施術者が操作部５を操作しない状態（デフォルト状態）において、固定側加熱部３が可動側加熱部４と当接し、可動側加熱部４により固定側加熱部３も加熱することができるため、可動側加熱部４側にのみ発熱部４１を設けるだけで済み、ヘアーアイロン１全体の構成を簡略化することができる。
【００４１】
次に、本実施例のヘアーアイロン１を用いた髪のカール付け作業について説明する。初期条件として電源供給部８には、電源コード８１を介して電気が供給されているものとする。
【００４２】
図９は第１実施例のヘアーアイロン１のカール付け作業を示すフローチャートである。
【００４３】
図９で示すように、施術者は、操作入力部７を操作して設定温度を入力する（ＳＴＥＰ１１、ＳＴＥＰ１２）。操作入力部７に設定温度が入力されると、制御部９は、操作入力部７から設定温度情報を取得し、電源供給部８から発熱部４１およびマイナスイオン発生部２１ｃへ通電して、発熱部４１を発熱させるとともにマイナスイオン発生部２１ｃからマイナスイオンを発生させる（ＳＴＥＰ１３）。制御部９は、発熱部４１が設定温度に達するまでは表示部６を点灯表示させ、発熱部４１が設定温度に達した後は表示部６を常灯表示させる。
【００４４】
施術者は、表示部６が常灯表示になったことを確認すると、操作部５を押圧して、可動側加熱部４を下側分割カール部２１bの内側端面まで下動させて離間位置（図７および８）へ移動させる。可動側加熱部４が離間位置まで移動した後に、施術者は、上側分割カール部２１aと下側分割カール部２１bの間に髪を挿入する（ＳＴＥＰ１４）。
【００４５】
本実施例のヘアーアイロン１は、上側分割カール部２１aと下側分割カール部２１bとの間へ髪を挿入する際に、上側分割カール部２１aの先端よりも前方に延出にした下側分割カール部２１bで髪をガイドすることで、円滑に上側分割カール部２１aと下側分割カール部２１bの間へ髪を挿入させることができる。
【００４６】
特に、この髪を挿入する際に、可動側加熱部４が下側分割カール部２１bの内側端面まで下動することで、髪を下側分割カール部２１bでガイドする際に可動側加熱部４が障害とならず、より円滑に上側分割カール部２１aと下側分割カール部２１bの間の奥へ髪を挿入することができる。
【００４７】
施術者は、上側分割カール部２１aと下側分割カール部２１bの間に髪を挿入すると、操作部５から指を離して、固定側加熱部３と可動側加熱部４とで髪を挟持する（ＳＴＥＰ１５）。より具体的には、施術者が操作部５から指を離すと、可動側加熱部４が弾性部材５１で上方へ付勢されて、固定側加熱部３に当接し（可動側加熱部４が当接位置（図１、５および６）へ移動し）、固定側加熱部３とで髪を挟持する。
【００４８】
固定側加熱部３と可動側加熱部４とで髪が挟持されると、施術者は、ヘアーアイロン本体２を周方向へ回転させて、髪を上側分割カール部２１a又は下側分割カール部２１bの外周面に巻き付けて、数秒間キープする（ＳＴＥＰ１７）。この際、固定側加熱部３および可動側加熱部４からの熱が髪へ付与されて、髪における毛皮質間の水素結合が切断される。
【００４９】
施術者は、上側分割カール部２１a又は下側分割カール部２１bを外周面に巻き付けた状態で数秒間キープした後に、毛先へヘアーアイロン１を滑らせて髪のカール付けを行う。ヘアーアイロン１を毛先へ滑らせることで、熱により水素結合が切断された髪が上側分割カール部２１a又は下側分割カール部２１bの外周面を通過し、曲げられながら冷却されて、髪がカール付けされる。
【００５０】
この構成により、本実施例のヘアーアイロン１は、上側分割カール部２１aおよび下側分割カール部２１bの曲率に合わせて、髪を簡単にカール付けすることができる。
【００５１】
また、このカール付けする際には、一対のマイナスイオン発生部２１ｃから髪へマイナスイオンが付与される。より具体的には、一対のマイナスイオン発生部２１ｃから、固定側加熱部３と可動側加熱部４とで髪が加熱する前と加熱された後の両方において、髪へマイナスイオンが付与される。
【００５２】
この構成により、固定側加熱部３と可動側加熱部４で加熱する前後において、マイナスイオンを髪へ付与することで、髪への熱の付与の前後の両方において、プラスに帯電した髪へマイナスイオンを付与して中和して、髪のキューティクルの傷付きを防止することができる。また、一対のマイナスイオン発生部２１ｃにより髪へマイナスイオンを十分に付与することで、髪へツヤや潤いを与えることもできる。
【００５３】
施術者は、上記カール付け作業（ＳＴＥＰ１４乃至ＳＴＥＰ１８）を繰り返して、髪を所望の髪型にセットする（ＳＴＥＰ１９）。施術者は、髪を所望の髪型にセットすると、操作入力部７で電源オフを入力し、カール付け作業を終了する（ＳＴＥＰ２０、ＳＴＥＰ２１）。制御部９は、操作入力部７から電源オフ情報を取得すると、発熱部４１およびマイナスイオン発生部２１ｃへの通電をオフさせ、表示部６を消灯させる。
【００５４】
本実施例のヘアーアイロン１は、操作入力部７で設定温度を入力してから電源オフするまでの間、一対のマイナスイオン発生部２１ｃからマイナスイオンを常時発生させることで、発熱部４１が設定温度に達する前の状態においてヘアーアイロン１を使用してカール付けを行った場合でも、髪へマイナスイオンが付与され、髪のキューティクルが傷つきを防止することができる。
【００５５】
本実施例のヘアーアイロン１は、ヘアーアイロン本体２内に位置する可動側加熱部４と固定側加熱部３とで髪を挟持して、上側分割カール部２１a又は下側分割カール部２１bに巻き付けるため、特に上側分割カール部２１aおよび下側分割カール部２１ｂの外周面に髪を押え付けるクリップなどを必要とせず、上側分割カール部２１a又は下側分割カール部２１ｂの外周面に押え付けて、髪に折れ跡を付きにくくすることができる。
【００５６】
本実施例のヘアーアイロン１は、操作部５の操作により可動側加熱部４のみを上下動させて、固定側加熱部３と可動側加熱部４とで髪の挟持又は取外しを行うため、固定側加熱部３および可動側加熱部４の両方を上下動させる構成（従来例の美髪器１００における支持ロッド１２１や開閉梃子１４０のような構成）を必要とせず、ヘアーアイロン１全体の装置構成を簡略化することができる。
【００５７】
また、本実施例のヘアーアイロン１は、固定側加熱部３と可動側加熱部４の挟持をプレート状の上側加熱プレート３１と下側加熱プレート４２により行うことで、単に髪を挟んで毛先方向へ滑らせれば、髪をストレートにすることもできる。すなわち、本実施例のヘアーアイロン１は、髪をカール付け又はストレートの両方に形成することができる。
【００５８】
さらに、本実施例のヘアーアイロン１は、操作部５と可動側加熱部４を一体的に形成して、操作部５の下動を直接的に可動側加熱部４に伝達することで、可動側加熱部４の移動量を大きくし、確実に可動側加熱部４を下側分割カール部２１ｂの端面内側まで移動させることができる。
【００５９】
（他の実施例）
第１実施例のヘアーアイロン１において、下側分割カール部２１ｂに可動側加熱部４が形成されるものとして説明したが、特にこれに限られるものではなく、上側分割カール部２１aに可動側加熱部４が形成されるものとしても良い。例えば、操作部５を上側保持部３２と一体的に形成するとともに、下側分割カール部２１ｂに固定側加熱部３を形成するものとしても良い。
【００６０】
第１実施例のヘアーアイロン１において、可動側加熱部４にのみ発熱部４１を設ける構成として説明したが、特にこれに限られるものではなく、固定側加熱部３にのみ、または可動側加熱部４および固定側加熱部３の両方に発熱部４１を設ける構成としても良い。
【００６１】
第１実施例のヘアーアイロン１において、カール部２１における分割基部２１eにおいて一対のマイナスイオン発生部２１ｃが形成されているものとして説明したが、特にこれに限られるものではなく、上側分割カール部２１aと下側分割カール部２１ｂの間にマイナスイオンを発生することができる構成であれば良い。
【００６２】
すなわち、カール部２１における分割基部２１eから先端側における上側分割カール部２１aと下側分割カール部２１ｂの間のいずれかに少なくとも１つマイナスイオン発生部２１ｃが形成されていれば良い。
【００６３】
第１実施例のヘアーアイロン１において、操作部５は、下側保持部４３に一体的に形成されているものとして説明したが、特にこれに限られるものではなく、操作部５の操作に応じて、下側保持部４３が上下動する構成であれば、操作部５と下側保持部４３を別々の部品により構成しても良い。
【００６４】
第１実施例のヘアーアイロン１において、マイナスイオン発生部２１ｃをグランド電極を基準とする高電圧を針電極２１dへ印加してコロナ放電を行うことで、マイナスイオンを発生するものとして説明したが、特にこれに限られるものではなく、マイナスイオンを発生することができる装置であれば良い。
【００６５】
第１実施例のヘアーアイロン１において、上側加熱プレート３１および下側加熱プレート４２のそれぞれの先端が、上側保持部３２および下側保持部４３で覆われているものとして説明したが、特にこれに限られるものではなく、上側分割カール部２１aと下側分割カール部２１ｂの間隔を指が挿入することができない間隔で形成されていれば、特に上側保持部３２および下側保持部４３で上側加熱プレート３１および下側加熱プレート４２の先端を覆う構成としなくても良い。
【００６６】
また、第１実施例のヘアーアイロン１において、把持部２２を上側把持部２２aと下側把持部２２bとに分割されたものとして説明したが、特にこれに限られるものではなく、上側把持部２２aと下側把持部２２bが一体的に形成されているものとしても良い。
【００６７】
さらに、第１実施例のヘアーアイロン１において、上側分割カール部２１aおよび下側分割カール部２１ｂの形状を先端側へ向けて先細となり、断面が半円形状から半楕円形状へ変化するものとして説明したが、特にこれに限られるものではなく、上側分割カール部２１zおよび下側分割カール部２１ｂの外周面に髪を巻き付けて、カール付けすることができる形状であれば良い。
【００６８】
本発明は、その精神または主要な特徴から逸脱することなく。他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替及び改質は、すべて本発明の範囲内のものである。
【符号の説明】
【００６９】
１…ヘアーアイロン
２…ヘアーアイロン本体
２１…カール部      ２１a…上側分割カール部（分割カール部）      ２１ｂ…下側分割カール部（分割カール部）      ２１ｃ…マイナスイオン発生部      ２１ｄ…針電極      ２１e…分割基部    ２２…把持部      ２２a…上側把持部      ２２ｂ…下側把持部
３…固定側加熱部
３１…上側加熱プレート    ３２…上側保持部
４…可動側加熱部
４１…発熱部    ４２…下側加熱プレート    ４３…下側保持部
５…操作部    ５１…弾性部材
６…表示部
７…操作入力部
８…電源供給部    ８１…電源コード
９…制御部
【図１】
2018166895.tif 000003
【図２】
2018166895.tif 000004
【図３】
2018166895.tif 000005
【図４】
2018166895.tif 000006
【図５】
2018166895.tif 000007
【図６】
2018166895.tif 000008
【図７】
2018166895.tif 000009
【図８】
2018166895.tif 000010
【図９】
2018166895.tif 000011
【図１０】
2018166895.tif 000012